(57)【要約】【課題】取り付ける位置に応じて、多様な取付形態において取付を可能とし、また支持しているケーブル側から過剰な負荷が加わった場合にも、ケーブルの断線の発生を防ぐことができるケーブル支持具を提供することを目的とする。【解決手段】本発明では、円弧状に湾曲形成した帯板状弾性体１の一端側と他端側に夫々第１、第２の係合部２、３を形成して、それらの係合部の係合により帯板状弾性体を環状に保持可能とし、更に帯板状弾性体の一端側にケーブルの挿入支持部５を形成し、この挿入支持部５は開口側６を狭く形成したケーブル支持具Ａを提供する。【選択図】図１
2010011672.tif 000002
【特許請求の範囲】
【請求項１】
円弧状に湾曲形成した帯板状弾性体の一端側と他端側に夫々第１、第２の係合部を形成して、それらの係合部の係合により帯板状弾性体を環状に保持可能とし、更に帯板状弾性体の一端側にケーブルの挿入支持部を形成し、この挿入支持部は開口側を狭く形成したことを特徴とするケーブル支持具。
【請求項２】
挿入支持部の開口側に導入用突片部を形成したことを特徴とする請求項１に記載のケーブル支持具。
【請求項３】
挿入支持部は第１の係合部の下側に形成したことを特徴とする請求項１又は２に記載のケーブル支持具。
【請求項４】
挿入支持部は第１の係合部に背向して形成したことを特徴とする請求項１又は２に記載のケーブル支持具。
【請求項５】
帯板状弾性体は、第２の係合部が形成された他端側の板厚を漸次薄く形成して、他端側に至る部分の剛性を、一端側よりも小さく形成したことを特徴とする請求項１〜４までのいずれか１項に記載のケーブル支持具。
【請求項６】
第１の係合部はフック状に折り返した突片部として構成すると共に、第２の係合部は突片部の先端に係合するフック状の湾曲片部として構成したことを特徴とする請求項１〜５に記載のケーブル支持具。
【請求項７】
第１、第２の係合部の先端が丸め加工されていることを特徴とする請求項１〜６までのいずれか１項に記載のケーブル支持具。
【発明の詳細な説明】
【技術分野】
【０００１】
本発明は、ケーブル支持具、特に医療用や介護用の電動ベッドや治療用いす等に付属するケーブルや、これらの周辺で使用する各種の機器等に付属するケーブルの支持に適するケーブル支持具に関するものである。
【背景技術】
【０００２】
例えば、医療用や介護用の電動ベッドでは、床部の昇降や起伏を操作するためのリモートコントローラが備えられており、それらと電動ベッドの本体側の制御装置の間にはカールコード等のケーブルが接続されている。そして、リモートコントローラは、不使用時には、それに設けたフック部材をサイドレールの横パイプ等に引っ掛けて保持する。
【０００３】
この際、ケーブルが電動ベッドを置いている床まで垂れ下がることがあり、この場合には、ケーブルに汚れが付着したり、人が垂れ下がったケーブルに引っ掛かって事故を起こす危険がある。このことから、ケーブルを床まで垂れ下がらないように支持する手段が必要となる。
【０００４】
ケーブルを支持するための手段として、例えば特許文献１には、ケーブル配線を必要とする機器のシャーシ等に取り付けて使用する配線ケーブル保持具が記載されている。この配線ケーブル保持具は、板状体のケーブル支持具の上側に湾曲させたケーブル保持板体を設け、その先端側に設けたフックをケーブル支持具に係合させて、湾曲部においてケーブルを保持する構成とし、そしてケーブル支持具自体を、フックと係合穴の係合により、機器のシャーシ等に着脱可能に取り付ける構成である。
【特許文献１】特許第２５４３１１７号公報
【発明の開示】
【発明が解決しようとする課題】
【０００５】
例えば上述した電動ベッドにおいて、リモートコントローラを不使用時に保持する位置は、必ずしもサイドレールの横パイプに限るものではないため、ケーブル支持具をベッド等の予め決められた位置に取り付けて置くことは実際的ではない。そして、それらの取付位置における部位の形状等も変わるため、取付形態は多様となる。
【０００６】
このことから上述した特許文献１に記載されたものを上述したベッド等に適用することは困難である。
【０００７】
一方、特許文献１に記載されたものを含め、従来のケーブル支持具では、ケーブル支持具からケーブルを取り外す際に、人手による操作を必要とするため、ケーブル側から強い力が加わっても外れることはなく、この場合には、過剰な負荷によるケーブルの断線等の不都合が生じてしまう。
【０００８】
本発明は、以上の点に鑑みて創案されたものであり、即ち、本発明のケーブル支持具では、取り付ける位置に応じて、多様な取付形態において取付を可能とすることを第１の目的とすると共に、支持しているケーブル側から過剰な負荷が加わった場合にも、ケーブルの断線の発生を防ぐことができるようにすることを第２の目的とするものである。
【課題を解決するための手段】
【０００９】
上述した課題を解決するために、本発明では、円弧状に湾曲形成した帯板状弾性体の一端側と他端側に夫々第１、第２の係合部を形成して、それらの係合部の係合により帯板状弾性体を環状に保持可能とし、更に帯板状弾性体の一端側にケーブルの挿入支持部を形成し、この挿入支持部は開口側を狭く形成したケーブル支持具を提案する。
【００１０】
また本発明では、上記の構成において、挿入支持部の開口側に導入用突片部を形成することを提案する。
【００１１】
また本発明では、以上の構成において、挿入支持部は第１の係合部の下側に形成したり、又は第１の係合部に背向して形成することを提案する。
【００１２】
また本発明では、以上の構成において、帯板状弾性体は、第２の係合部が形成された他端側の板厚を漸次薄く形成して、他端側に至る部分の剛性を、一端側よりも小さく形成することを提案する。
【００１３】
また本発明では、以上の構成において、第１の係合部はフック状に折り返した突片部として構成すると共に、第２の係合部は突片部の先端に係合するフック状の湾曲片部として構成することを提案する。
【００１４】
また本発明では、以上の構成において、第１、第２の係合部の先端を丸め加工することを提案する。
【発明の効果】
【００１５】
以上の構成において、本発明のケーブル支持具では、第１、第２の係合部を係合させない場合には、円弧状に湾曲した帯板状弾性体をフックとして利用できるので、取付位置の部位が板形状あるいは平面形状の場合に、それに引っ掛け、弾性により挟持して確実に固定することができる。
【００１６】
一方、本発明のケーブル支持具では、第１、第２の係合部を係合させると帯板状弾性体を環状に保持できるので、ベッド等における取付位置の部位が管形状の場合において、その部位に嵌めて環状に保持することにより、確実に固定することができる。
【００１７】
本発明のケーブル支持具は、以上のように各種形状の取付位置の部位に固定し、そして挿入支持部にケーブルを挿入することにより、垂れ下がらないように支持することができる。
【００１８】
この際、挿入支持部の開口側に導入用突片部を形成すれば、それなしでは、開口側が狭く形成されているためケーブルの挿入が比較的難しい挿入支持部内にも容易に挿入可能であり、また開口側を狭く形成しているため、挿入されたケーブルが振動等で外れてしまうことを防ぐことができる。
【００１９】
ここで、本発明のケーブル支持具をフックとして利用して取付位置に固定している際に、ケーブル支持具を引っ張る方向の大きな外力がケーブルから加わると、ケーブル支持具は、帯板状弾性体の他端側が弾性変形し、更に大きな力によっては取付位置の板形状の部位から破損せずに外れる。従って、過剰な負荷によるケーブルの断線等を防止することができる。
【００２０】
また、第１、第２の係合部の係合により帯板状弾性体を環状に保持して、ケーブル支持具を取付位置の管形状の部位に固定している際に、ケーブル支持具を引っ張る方向の大きな外力がケーブルから加わると、ケーブル支持具は、帯板状弾性体の他端側が弾性変形することにより、第１と第２の係合部の係合が解除されて、更に帯板状弾性体の他端側が弾性変形し、力の大きさによっては取付位置の管形状の部位から破損せずに外れる。従って、過剰な負荷によるケーブルの断線等を防止することができる。
【００２１】
帯板状弾性体は、第２の係合部が形成された他端側の板厚を漸次薄く形成して、他端側に至る部分の剛性を、一端側よりも小さく形成することにより、上述した他端側の弾性変形が良好に行われるようにすることができる。
【００２２】
また、第１の係合部はフック状に折り返した突片部として構成すると共に、第２の係合部は突片部の先端に係合するフック状の湾曲片部として構成した場合には、第１と第２の係合部の係合の解除が確実に行われるようにすることができ、第１、第２の係合部の先端を丸め加工することにより、更に確実にすることができる。
【発明を実施するための最良の形態】
【００２３】
次に本発明のケーブル支持具の実施の形態を添付図面を参照して説明する。
まず図１〜図８は本発明に係るケーブル支持具の第１の実施の形態を示すもので、図９〜図１１はその使用形態の例を示すものである。
図１及び図４〜図８はケーブル支持具の正面図、図２、図３は夫々異なった方向から見た斜視図である。
図に示すように、本発明に係るケーブル支持具Ａは、円弧状に湾曲形成した帯板状弾性体１の一端側ａと他端側ｂに夫々第１、第２の係合部２、３を形成して、図４に示すように、それらの係合部２、３の係合により帯板状弾性体１を環状に保持可能とし、更に帯板状弾性体１の一端側ａにケーブル４の挿入支持部５を形成し、この挿入支持部５は開口側６を狭く形成したものである。
【００２４】
この実施の形態では、第１の係合部２はフック状に折り返した突片部として構成すると共に、第２の係合部３は突片部の先端に係合するフック状の湾曲片部として構成しており、それらの先端は丸め加工を施している。また挿入支持部５は第１の係合部２の下側に形成して構成しており、狭く形成した開口側６に導入用突片部７を形成している。更に帯板状弾性体１は、第２の係合部３が形成された他端側ｂの板厚を漸次薄く形成して、他端側ｂに至る部分の剛性を、一端側よりも小さく形成している。
【００２５】
以上の構成のケーブル支持具Ａは、帯板状弾性体１として硬質プラスチックスを適用して、一体成形により製作することができるが、全部又は一部を金属を帯板状弾性体１として適用することもできる。
【００２６】
以上の構成において、本発明のケーブル支持具Ａでは、第１、第２の係合部２、３を係合させない場合には、円弧状に湾曲した帯板状弾性体１をフックとして利用できるので、例えば図５に示すように取付位置の部位８ｂが板形状の場合に、それに引っ掛け、帯板状弾性体１の弾性により挟持して確実に固定することができる。
【００２７】
図９は帯板状弾性体１をフックとして利用して本発明のケーブル支持具Ａを固定した状態の一例を示すものである。図９において、符号９は電動ベッド（図示省略）の側部フレームを示すもので、この側部フレーム９の上側には図に示すようなサイドレール１０や、その他のオプションを取り付けるための嵌合部１１が所定間隔で形成されている。サイドレール１０は、その下側に設けた取付棒体１２を嵌合部１１に嵌合することにより、電動ベッドの側部に立設状態で支持される。このサイドレール１０は、図中左側の部材１３を旋回可能に保持しており、この左側の部材１３は介助バーとして利用できるように構成されている。
【００２８】
符号１４は電動ベッドの床部の昇降や起伏を操作するためのリモートコントローラであり、電動ベッドの本体側の制御装置（図示省略）の間にはカールコード等のケーブル４が接続されている。そしてこのリモートコントローラ１４は、上側に設けたフック状支持具１５をサイドレール１０の上部横桟部材１６に引っ掛けて支持している。符号１７はサイドレール１０の下側に構成した板状部材、１８は板状部材１７の図中左側の部位と上部横桟部材１６間に設けた縦パイプであり、この縦パイプ１８に近接した板状部材１７の部位、即ち上記部位８ｂに、円弧状に湾曲した帯板状弾性体１をフックとして引っ掛けて固定している。
【００２９】
この状態では、ケーブル支持具Ａは、帯板状弾性体１の弾性により挟持されると共に縦パイプ１８により、図中左側方向への移動を阻止されて確実に固定されており、この状態において、挿入支持部５にケーブル４を挿入することにより、それを垂れ下がらないように支持することができる。
【００３０】
この実施の形態では、後述の他の実施の形態と同様に、挿入支持部５の開口側６に導入用突片部７を形成しているので、それなしでは、開口側６が狭く形成されているためケーブル４の挿入が比較的難しい挿入支持部５内にも容易に挿入可能であり、また開口側６を狭く形成しているため、挿入されたケーブル４が振動等で外れてしまうことを防ぐことができる。
【００３１】
図１０は帯板状弾性体１をフックとして利用して本発明のケーブル支持具Ａを固定した状態の他例を示すものであり、この例では、本発明のケーブル支持具Ａの帯板状弾性体１の他端側ｂを上述した側部フレーム９に形成した嵌合部１１に嵌合すると共に、一端側ａを側部フレーム９の外側に位置させて固定したものである。この場合、板形状あるいは平面形状の部位８ｂは、側部フレーム９の部位である。
【００３２】
この状態では、ケーブル支持具Ａは、帯板状弾性体１の他端側が嵌合部１１に嵌合されると共に、帯板状弾性体１の弾性により挟持されて確実に固定されており、この状態において、挿入支持部５にケーブル４を挿入することにより、それを垂れ下がらないように支持することができる。
【００３３】
これら図９、図１０に示される支持状態において、ケーブル支持具Ａに、その一端側ａが図中下方や横方向に引っ張られる方向の大きな外力がケーブル４から加わると、帯板状弾性体１の他端側ｂが弾性変形し、更に大きな力によっては、ケーブル支持具Ａは破損せずに部位８ｂから外れる。従って、過剰な負荷によるケーブル４の断線等を防止することができる。
【００３４】
この実施の形態では、帯板状弾性体１は、第２の係合部３が形成された他端側ｂの板厚を漸次薄く形成して、他端側に至る部分の剛性を、一端側ａよりも小さく形成しているので、等厚の場合と比較して他端側ｂの弾性変形が良好に行われる。
【００３５】
次に本発明のケーブル支持具Ａでは、第１、第２の係合部２、３を係合させると、図５に示すように帯板状弾性体１を環状に保持できるので、ベッド等における取付位置の部位８ａが管形状の場合において、その部位８ａに嵌めて環状に保持することにより、確実に固定することができる。そして、固定状態のケーブル支持具Ａの挿入支持部５にケーブル４を挿入することにより、垂れ下がらないように支持することができる。
【００３６】
図５に示すように、第１、第２の係合部２、３の係合により帯板状弾性体１を環状に保持して、ケーブル支持具Ａを取付位置の管形状の部位８ａに固定している際に、ケーブル支持具Ａの一端側８ａを図中下方又は横方向に引っ張る大きな外力がケーブル４から加わると、ケーブル支持具Ａは、帯板状弾性体１の他端側ｂが弾性変形することにより、図６、図７の状態を順次経過して第１と第２の係合部２、３の係合が解除される。そして更に帯板状弾性体１の他端側ｂが弾性変形し、力の大きさによっては取付位置の管形状の部位８ａから破損せずに外れる。従って、過剰な負荷によるケーブル４の断線等を防止することができる。
【００３７】
この実施の形態では、第１の係合部２はフック状に折り返した突片部として構成すると共に、第２の係合部３は突片部の先端に係合するフック状の湾曲片部として構成しているので、図５〜図８の経過から分かるように、第１と第２の係合部２、３の係合の解除が確実に行われる。この実施の形態では、更に、第１、第２の係合部２、３の先端を丸め加工しているので、上記係合の介助が、更に確実に行われる。
【００３８】
図１１は、第１、第２の係合部２、３を係合させて本発明のケーブル支持具Ａを固定した状態の一例を示すものであり、ケーブル支持具Ａにより支持するケーブル４は図９と同様に電動ベッドの床部の昇降や起伏を操作するためのリモートコントローラ１４と、電動ベッドの本体側の制御装置の間に構成するカールコード等のケーブルである。またリモートコントローラ１４を支持する部位も、図９と同様なサイドレール１０である。これらの構成要素は図９と同様であるので、対応する構成要素には同一の符号を付して重複する説明は省略する。
【００３９】
この例では、サイドレール１０は、左側の部材、即ち介助バー１３を側部フレーム９の外側方向に旋回させて屈曲した状態で支持しており、リモートコントローラ１４はフック状支持具１５を介助バー１３の上部横桟部材１６に引っ掛けて支持すると共に、ケーブル支持具Ａは、帯板状弾性体１を介助バー１３の下部の横パイプ１９に嵌めた状態で第１、第２の係合部２、３を係合させて環状に保持することにより、確実に固定することができる。
【００４０】
この例では、ケーブル支持具Ａは介助バー１３の横パイプ１９に嵌めて固定しているが、他の部位の横方向又は縦方向のパイプ部材に嵌めて固定することができる。
【００４１】
また以上に説明した例では、ケーブル支持具Ａは、電動ベッドのリモートコントローラ１４のケーブル４を対象として、その側部フレーム９に立設状態で支持したサイドレール１０や側部フレーム９自体の各部位に固定しているが、本発明のケーブル支持具Ａは、それ以外の、医療用や介護用の電動ベッドや治療用いす等に付属するケーブルや、これらの周辺で使用する各種の機器等に付属するケーブルを対象とすることができ、その取付位置も適宜に選択することができる。
【００４２】
次に図１２、図１３は本発明に係るケーブル支持具Ａの他の実施の形態を示すもので、これらの実施の形態は、挿入支持部５の配置において、上述した実施の形態とは相違するものであり、その他の構成要素は同様であるので、共通する要素には同一の符号を付して重複する説明は省略する。
即ち、図１２の実施の形態では、挿入支持部５は、上述した実施の形態とは異なり、開口側６を帯板状弾性体１の他端側ｂに向けた構成としており、また図１３の実施の形態では、挿入支持部５は、上述した実施の形態とは異なり、第１の係合部２に背向した位置に形成している。
【００４３】
尚、本発明に係るケーブル支持具Ａの以上の各実施の形態において、外力が加わっていない時点における帯板状弾性体の一端側ａと他端側ｂ間の間隔は、図１〜図３に示すように比較的大きく設定したり、図８、図１２、図１３に示すように近接して設定する等、適宜に設定することができる。
【産業上の利用可能性】
【００４４】
以上のとおり、本発明のケーブル支持具では、取り付ける位置に応じて、多様な取付形態において取付を可能とし、また支持しているケーブル側から過剰な負荷が加わった場合にも、ケーブルの断線の発生を防ぐことができ、医療用や介護用の電動ベッドや治療用いす等に付属するケーブルや、これらの周辺で使用する各種の機器等に付属するケーブルを支持するための利用可能性が大である。
【図面の簡単な説明】
【００４５】
【図１】本発明に係るケーブル支持具の実施の形態を示す正面図である。
【図２】本発明に係るケーブル支持具の実施の形態を示す斜視図である。
【図３】本発明に係るケーブル支持具の実施の形態を他の方向から見て示す斜視図である。
【図４】本発明に係るケーブル支持具の実施の形態を他の局面において示す正面図である。
【図５】本発明に係るケーブル支持具の実施の形態を他の局面において示す正面図である。
【図６】本発明に係るケーブル支持具の実施の形態を更に他の局面において示す正面図である。
【図７】本発明に係るケーブル支持具の実施の形態を更に他の局面において示す正面図である。
【図８】本発明に係るケーブル支持具の実施の形態を更に他の局面において示す正面図である。
【図９】本発明に係るケーブル支持具の使用形態の一例を示す斜視図である。
【図１０】本発明に係るケーブル支持具の使用形態の他例を示す斜視図である。
【図１１】本発明に係るケーブル支持具の使用形態の更に他例を示す斜視図である。
【図１２】本発明に係るケーブル支持具の他の実施の形態を示す正面図である。
【図１３】本発明に係るケーブル支持具の更に他の実施の形態を示す正面図である。
【符号の説明】
【００４６】
Ａ              ケーブル支持具
ａ              一端側
ｂ              他端側
１              帯板状弾性体
２              第１の係合部（突片部）
３              第２の係合部（湾曲片部）
４              ケーブル
５              挿入支持部
６              開口側
７              導入用突片部
８ａ            管形状の部位
８ｂ            板形状の部位
９              側部フレーム
１０            サイドレール
１１            嵌合部
１２            取付棒体
１３            部材（介助バー）
１４            リモートコントローラ
１５            フック状支持具
１６            上部横桟部材
１７            板状部材
１８            縦パイプ
１９            横パイプ
【図１】
2010011672.tif 000003
【図２】
2010011672.tif 000004
【図３】
2010011672.tif 000005
【図４】
2010011672.tif 000006
【図５】
2010011672.tif 000007
【図６】
2010011672.tif 000008
【図７】
2010011672.tif 000009
【図８】
2010011672.tif 000010
【図９】
2010011672.tif 000011
【図１０】
2010011672.tif 000012
【図１１】
2010011672.tif 000013
【図１２】
2010011672.tif 000014
【図１３】
2010011672.tif 000015